(57)【要約】      （修正有）【課題】積み木遊びの難易度を向上させて、脳に適度の刺激を与える積み木装置を提供する。【解決手段】積み木入れ２０の定位槽２１は、Ｘ軸方向に一列の定位穴２２の列がＹ軸方向に１１列並設されるとともに、これら１１列のうち奇数の列が５箇の定位穴２２により構成され、偶数の列が４箇の定位穴２２により構成されて、奇数及び偶数の各列の各定位穴２２がＸ軸方向又はＹ軸方向に対して４５°の角度の斜め一列に配列され、積み木セット１０は１１箇の異なる形の積み木１Ａ〜１Ｋからなり、これらの積み木１Ａ〜１Ｋはそれぞれ３つ乃至５つの部品で形成されて、全部で５０箇の部品により構成される。【選択図】図４
0003151532.tif 000002
【実用新案登録請求の範囲】
【請求項１】
一つの扁平な積み木入れ（２０）と、前記積み木入れ（２０）に入れる積み木セット（１０）とを備え、
前記積み木入れ（２０）は頂面又は底面に前記積み木セット（１０）の各積み木が適合可能な定位槽（２１）を有し、当該定位槽（２１）は、前記積み木入れ（２０）の横方向であるＸ軸方向に一列の定位穴（２２）の列が前記積み木入れ（２０）の縦方向であるＹ軸方向に１１列並設されるとともに、これら１１列のうち奇数（１、３、５、７、９、１１）の列が５箇ずつの定位穴（２２）により構成され、偶数（２、４、６、８、１０）の列が４箇ずつの定位穴（２２）により構成されて、前記奇数及び偶数の各列の各定位穴（２２）が前記積み木入れ（２０）のＸ軸方向又はＹ軸方向に対して４５°の角度の斜め一列に配列され、
前記積み木セット１０は１１箇の異なる形の積み木（１Ａ〜１Ｋ）からなり、これらの積み木（１Ａ〜１Ｋ）はそれぞれ３つ乃至５つの部品で形成されて、全部で５０箇の部品により構成され、
前記積み木（１Ａ）の形状は、４つの部品（ａ１〜ａ４）からなり、部品（ａ１〜ａ３）が直線状に繋がり、部品（ａ４）が前記部品（ａ１〜ａ３）のうち一端の部品（ａ３）に前記部品（ａ１〜ａ３）の繋がり方向に対して直角方向に交わって繋がり、全体として略Ｌ字形に形成され、
前記積み木（１Ｂ）の形状は、５つの部品（ｂ１〜ｂ５）からなり、部品（ｂ１〜ｂ３）が直線状に繋がり、部品（ｂ４、ｂ５）が相互に直線状に繋がるとともに、そのうち一方の部品（ｂ４）が前記部品（ｂ１〜ｂ３）のうち中央の部品（ｂ２）に、他方の部品（ｂ５）が前記部品（ｂ１〜ｂ３）のうち一端の部品（ｂ３）に、それぞれ前記部品（ｂ１〜ｂ３）の繋がり方向に対して直角方向に交わって繋がり、全体として略ｑ字形に形成され、
積み木（１Ｃ）の形状は、５つの部品（ｃ１〜ｃ５）からなり、部品（ｃ１〜ｃ４）が直線状に繋がり、部品（ｃ５）が前記部品（ｃ１〜ｃ４）のうち一端の部品（ｃ４）に隣接する部品（ｃ３）と前記部品（ｃ１〜ｃ４）の繋がり方向に対して直角方向に交わって繋がり、全体として略Ｔ字形に形成され、
積み木（１Ｄ）の形状は、３つの部品（ｄ１〜ｄ３）からなり、部品（ｄ１、ｄ２）が直線状に繋がり、部品（ｄ３）が前記部品（ｄ１、ｄ２）のうち一方の部品（ｄ１）に前記部品（ｄ１、ｄ２）の繋がり方向に対して直角方向に交わって繋がり、全体として略ｖ字形に形成され、
積み木（１Ｅ）の形状は、５つの部品（ｅ１〜ｅ５）からなり、部品（ｅ１、ｅ２）が直線状に繋がり、部品（ｅ３）が前記部品（ｅ１、ｅ２）のうち一方の部品（ｅ２）に前記部品（ｅ１、ｅ２）の繋がり方向に対して直角方向に繋がり、部品（ｅ４）が前記部品（ｅ３）に前記部品（ｅ１、ｅ２）の繋がり方向と平行な方向に繋がり、部品（ｅ５）が前記部品（ｅ４）に前記部品（ｅ２、ｅ３）の繋がり方向と平行な方向に繋がり、全体として略Ｗ字形に形成され、
積み木（１Ｆ）の形状は、５つの部品（ｆ１〜ｆ５）からなり、部品（ｆ１〜ｆ３）が直線状に繋がり、部品（ｆ４）が前記部品（ｆ１〜ｆ３）のうち一端の部品（ｆ１）と前記部品（ｆ１〜ｆ３）の繋がり方向に対して直角方向に交わって繋がり、部品（ｆ５）が前記部品（ｆ４）に前記部品（ｆ１〜ｆ３）の繋がり方向に対して直角方向に交わって繋がり、全体として略Ｖ字形に形成され、
積み木（１Ｇ）の形状は、４つの部品（ｇ１〜ｇ４）からなり、部品（ｇ１〜ｇ３）が直線状に繋がり、部品（ｇ４）が前記部品（ｇ１〜ｇ３）のうち中央の部品（ｇ２）に前記部品（ｇ１〜ｇ３）の繋がり方向に対して直角方向に交わって繋がり、全体として略Ｔ字形に形成され、
積み木（１Ｈ）の形状は、４つの部品（ｈ１〜ｈ４）からなり、これら部品（ｈ１〜ｈ４）が直線状に繋がり、全体として略Ｉ字形に形成され、
積み木（１Ｉ）の形状は、５つの部品（ｉ１〜ｉ５）からなり、部品（ｉ２〜ｉ５）が直線状に繋がり、部品（ｉ１）が前記部品（ｉ２〜ｉ５）のうち一端の部品（ｉ２）に前記部品（ｉ２〜ｉ５）の繋がり方向に対して直角方向に交わって繋がり、全体として略Ｌ字形に形成され、
積み木（１Ｊ）の形状は、５つの部品（ｊ１〜ｊ５）からなり、部品（ｊ１〜ｊ３）が直線状に繋がり、部品（ｊ４）が前記部品（ｊ１〜ｊ３）のうち一端の部品（ｊ３）に前記部品（ｊ１〜ｊ３）の繋がり方向に対して直角方向に交わって繋がり、部品（ｊ５）が前記部品（ｊ４）に前記部品（ｊ１〜ｊ３）の繋がり方向と平行な方向に繋がり、全体として略Ｚ字形に形成され、
積み木（１Ｋ）の形状は、５つの部品（ｋ１〜ｋ５）からなり、部品（ｋ１〜ｋ３）が直線状に繋がり、部品（ｋ４）が前記部品（ｋ１〜ｋ３）のうち一端の部品（ｋ１）に前記部品（ｋ１〜ｋ３）の繋がり方向に対して直角方向に交わって繋がり、部品（ｋ５）が前記部品（ｋ１〜ｋ３）のうち他端の部品（ｋ３）に前記部品（ｋ１〜ｋ３）の繋がり方向に対して直角方向に交わって繋がり、全体として略逆Ｕ字形に形成され、
これらの積み木（１Ａ〜１Ｋ）をそれぞれ、前記積み木入れ（２０）の定位槽（２１）に当該積み木入れ（２０）のＸ軸方向又はＹ軸方向に対して４５°の角度の斜めに交差させて並べるようにした、
ことを特徴とする積み木装置。
【請求項２】
積み木入れ（２０）の各定位穴（２２）は丸形に形成され、前記積み木入れ（２０）の１１列からなる定位穴（２２）の列のうち第２列から第１０列までの各列の各定位穴（２２）間に円柱（２３）が形成されて、全体で円柱（２３）の列が９列並設されるとともに、これら９列の円柱（２３）の列のうち奇数（１、３、５、７、９）の列が３本ずつの円柱（２３）により構成され、偶数（２、４、６、８）の列が４本ずつの円柱（２３）により構成されて、前記奇数及び偶数の各列の各円柱（２３）が前記積み木入れ（２０）のＸ軸方向又はＹ軸方向に対して４５°の角度の斜め一列に配列されて、前記各定位穴（２２）間に前記各定位穴（２２）間を繋ぐ凹溝（２４）が両側を前記各円柱（２３）により円弧形の凹状にして形成され、１１箇の積み木（１Ａ〜１Ｋ）はそれぞれ、積み木入れ（２０）の定位穴（２２）に嵌合可能に扁平で丸い形の複数の部品と、積み木入れ（２０）の凹溝（２４）に嵌合可能に両側を内側に向けて円弧形に凹まされて、前記部品と部品を繋ぐ接続部（１２）とにより形成される請求項１に記載の積み木装置。
【請求項３】
積み木入れ（２０）の各定位穴（２２）は断面円弧状の凹状に形成され、前記積み木入れ（２０）の１１列からなる定位穴（２２）の列のうち第２列から第１０列までの各列の各定位穴（２２）間に多角形柱（２６）が形成されて、全体で多角形柱（２６）の列が９列並設されるとともに、これら９列の多角形柱（２６）の列のうち奇数（１、３、５、７、９）の列が３本ずつの多角形柱（２３）により構成され、偶数（２、４、６、８）の列が４本ずつの多角形柱（２６）により構成されて、前記奇数及び偶数の各列の各多角形柱（２６）が前記積み木入れ（２０）のＸ軸方向又はＹ軸方向に対して４５°の角度の斜め一列に配列されて、前記各定位穴（２２）間に前記各定位穴（２２）間を繋ぐ浅い溝（２５）が形成され、１１箇の積み木（１Ａ〜１Ｋ）はそれぞれ、積み木入れ（２０）の定位穴（２２）に嵌合可能に球形の複数の部品と、積み木入れ（２０）の浅い溝（２５）に嵌合可能に前記部品と部品を繋ぐ短い棒（１３）とにより形成される請求項１に記載の積み木装置。
【請求項４】
積み木入れ（２０）の各定位穴（２２）は断面方形の凹状に形成され、さらにその底部に凹状の浅槽を形成されて、各定位穴（２２）間が相互に繋げられ、１１箇の積み木（１Ａ〜１Ｋ）はそれぞれ、立方体の部品からなり、各部品の六つの各面に前記各定位穴（２２）の浅槽に嵌合可能に凸状部を有する請求項１に記載の積み木装置。
【請求項５】
積み木入れ（２０）の各定位穴（２２）は方形の凹状に形成され、各定位穴（２２）間が相互に繋げられて、１１箇の積み木（１Ａ〜１Ｋ）はそれぞれ、積み木入れ（２０）の定位穴（２２）に嵌合可能に扁平で方形の複数の部品により形成される請求項１に記載の積み木装置。
【考案の詳細な説明】
【技術分野】
【０００１】
本考案は積み木装置に関し、特に、脳に適度の刺激を与えて、創造力や想像力を伸ばすのに役立つ積み木装置に関する。
【背景技術】
【０００２】
従前、本願の考案者により益智積み木装置が開発された。この益智積み木装置は、幾つかの異なる形の積み木を特定の積み木入れに積み重ねたり並べたりすることで、脳に刺激を与え、創造力や想像力を伸ばすようにしたもので、この考案は２０００年７月１１日に公告（特許文献１参照）になり、その上、「United States Patent」も獲得するに至った。
【０００３】
この文献１の益智積み木装置は、図１に示すように、積み木入れ３０の表面に、長い辺の方向（Ｙ軸方向）に１１箇の定位穴３１が形成され、短い辺の方向（Ｘ軸方向）に５箇の定位穴３１が形成されて、全体で５５箇の定位穴３１を備え、図２に示すように、これら５５箇の定位穴３１に対して用いられる積み木セットは１２箇の異なる形の積み木３Ａ〜３Ｌで、これら１２箇の積み木３Ａ〜３Ｌはそれぞれ、３箇乃至５箇の部品を繋げて形成されて、部品数は全体で５５箇になり、積み木入れ３０の５５箇の定位穴３１と釣り合うようになっている。
【先行技術文献】
【特許文献】
【０００４】
【特許文献１】台湾特許公告第３９８３１３番「変化可６０、９０及び１２０度の益智積み木」
【考案の概要】
【考案が解決しようとする課題】
【０００５】
しかしながら、上記従来の積み木装置では、積み木入れ３０の定位穴３１が、長い辺の方向（Ｙ軸方向）に１１箇配置され、短い辺の方向（Ｘ軸方向）に５箇配置される形式で、Ｙ軸方向に並べられた定位穴３１とＸ軸方向に並べられた定位穴３１が角度θ1＝９０°に配置され、横列の定位穴３１はＸ軸方向に、縦列の定位穴３１はＹ軸方向にそれぞれ同じ隙間で配置されているため、積み木３Ａ〜３Ｌを積み木入れ３０の外側から置くことで、初心者にとってはやり易いが、積み木遊びの難易度の高いものにチャレンジしたい使用者にとっては満足できないものになっている、という問題がある。したがって、積み木遊びの難易度を引き上げることが、本考案の解決すべき一つ目の課題である。
【０００６】
また、上記従来の積み木装置では、５５箇の定位穴、及び５５箇の部品からなる１２箇の積み木が使われているところ、これらの定位穴、積み木の数及び積み木の部品の数を変更することで積み木遊びの難易度を引き上げることができるが、これらの定位穴、積み木の数及び積み木の部品の数を単に増加するだけでは安易な対応で好ましくなく、むしろ、これとは反対に、これらの数を減少させることが望ましい、という問題がある。したがって、このような厳しい条件の下で積み木遊びの解答の難しさを引き上げることが、本考案の解決すべき二つ目の課題である。
【０００７】
本考案は、このような従来の課題を解決するものであり、この種の積み木装置において、積み木遊びの難易度を向上させて、脳に対して適度の刺激を与えること、を目的とする。
【課題を解決するための手段】
【０００８】
上記目的を達成するために、本考案は、一つの積み木入れ２０と積み木入れ２０中の定位槽２１及び適合の積み木セット１０で作成した、４５°に組み合わせの益智積み木装置であり、その特徴は次のとおりである。
（ａ）一つ扁平な積み木入れ２０に積み木入れ２０中の定位槽２１に適合の積み木セット１０を入らせ、積み木入れ２０の定位凹槽２１は５０箇の定位穴２２を上から横方向に１１列、奇数列（１、３、５、７、９、１１）は一列に五箇ずつ、偶数列（２、４、６、８、１０）は一列に四箇ずつの定位穴２２にコンポジション、奇数列と偶数列の定位孔は４５°の斜角に配置し、定位槽２１は積み木入れ２０の正面あるいは底に取り付ける。
（ｂ）積み木セット１０は１１個形が異なっているの積み木１Ａ〜１Ｋであり、全ての積み木はそれぞれ三つ〜五つの部品で作成、積み木１Ａ〜１Ｋの部品数は全部で５０個、また、４５°の斜角度に交錯ながら並ぶというやり方で積み木入れ２０の定位槽２１に積み木１Ａ〜１Ｋを定位穴２２に入れる。
（ｃ）積み木１Ａ〜１Ｋの形状としては図7のように、積み木１Ａは四つの部品ａ１〜ａ４で作成、部品ａ１〜部品ａ３はＸ軸を基準にして直線に繋がり、また、部品ａ４はＹ軸でＸ軸と垂直に交わって部品ａ３に繋がる。
（ｄ）積み木１Ｂは五つの部品ｂ１〜ｂ５で作成、部品ｂ１〜部品ｂ３はＸ軸を基準にして直線に繋がり、また、Ｘ軸と平行に部品ｂ４と部品ｂ５に繋がり、但し、部品ｂ２と部品ｂ４に接続し、同じく部品ｂ３と部品ｂ５に接続して一つの積み木１Ｂにする。
（ｅ）積み木１Ｃは五つの部品ｂ１〜ｂ５で作成、部品ｃ１〜部品ｃ４はＸ軸を基準にして直線に繋がり、また、部品ｃ５はＹ軸でＸ軸と垂直に交わって部品ｃ３に繋がる。
（ｆ）積み木１Ｄ は三つの部品ｄ１〜ｄ３で作成、部品ｄ１と部品ｄ２はＸ軸を基準にして直線に繋がり、また、部品ｄ３はＹ軸でＸ軸と垂直に交わって部品ｄ２に繋がる。
（ｇ）積み木１Ｅは五つの部品ｅ１〜ｅ５で作成、部品ｅ１と部品ｅ２はＸ軸を基準にして直線に繋がり、また、横側にＸ軸と平行で部品ｅ３と部品ｅ４に繋がり、但し、部品ｅ３と部品ｅ２はＹ軸で接続し、同じく部品ｅ４と部品ｅ５に接続して一つの積み木１Ｅにする。
（ｈ）積み木１Ｆは五つの部品ｆ１〜ｆ５で作成、部品ｆ１〜部品ｆ３はＸ軸を基準にして直線に繋がり、また、部品ｆ４と部品ｆ５はＹ軸を基準にして直線に繋がり、但し、Ｘ軸とＹ軸は垂直に交わって部品ｆ４と部品ｆ１に接続する。
（ｉ）積み木１Ｇは四つの部品ｆ１〜ｇ４で作成、部品ｇ１〜部品ｇ３はＸ軸を基準にして直線に繋がり、また、部品ｇ４はＹ軸でＸ軸と垂直に交わって部品ｇ２に接続する。
（ｊ）積み木１Ｈは四つの部品ｈ１〜ｈ４で作成、部品ｈ１〜部品ｈ４はＸ軸を基準にして直線に繋がる。
（ｋ）積み木１Ｉは五つの部品ｉ１〜ｉ５で作成、部品ｉ２〜部品ｉ５はＹ軸を基準にして直線に繋がり、また、部品ｉ１はＸ軸でＹ軸と垂直に交わって部品ｉ２に接続する。
（ｌ）積み木１Ｊは五つの部品ｊ１〜ｊ５で作成、部品ｊ１〜部品ｊ３はＸ軸を基準にして直線に繋がり、また、横側にＸ軸と平行で部品ｊ４と部品ｊ５に繋がり、但し、部品ｊ３と部品ｊ４はＹ軸で接続する。
（ｍ）積み木１Ｋは五つの部品ｋ１〜ｋ５で作成、部品ｋ１と部品ｋ４はＸ軸を基準にして直線に繋がり、同じく横側に平行で部品ｋ３と部品ｋ５に繋がり、但し、部品ｋ１と部品ｋ３の間に部品ｋ３で繋ぐ。
【０００９】
また、本考案は各部に次のような構成を備える。
（１）上記より、定位槽２１の全ての定位穴２２の穴は丸くし、定位穴２２と定位穴２２の間に凹溝２４で繋ぎ、凹溝２４の両側は内側に円弧形で凹んでいるため、定位槽２１の中に３１本の円柱２３が成形し、上から横方向に９列を有し、奇数列（１、３、５、７、９）は一列に三本ずつ、偶数列（２、４、６、８）は一列に四本ずつを有し、奇数列と偶数列の円柱２３は４５°の斜角度に交錯ながら並ぶ。また、上記の１１個積み木１Ａ〜１Ｋの部品は丸くて偏平な形、部品と部品は接続部１２で繋ぎ、接続部１２の両側は内側に円弧形で凹んでいる。積み木の部品が定位穴２２に嵌めると、接続部１２にも凹溝２４内に嵌めることは本益智の積み木装置の特徴とする。
（２）定位槽２１の全ての定位穴２２は円弧凹むの穴、定位穴２２と定位穴２２の間に凹溝２４で繋ぐため、定位槽２１中に３１本の多角形柱２３が成形し、上から横方向に９列を有し、奇数列（１、３、５、７、９）は一列に三本ずつ、偶数列（２、４、６、８）は一列に四本ずつを有し、奇数列と偶数列の多角形柱２３は４５°の斜角度に交錯ながら並ぶ。また、上記の１１個積み木１Ａ〜１Ｋの部品は円球形、部品と部品は 短い棒１３で繋ぎ、積み木の部品が定位穴２２に嵌めると、短い棒１３にも浅溝２５内に嵌めることは本益智の積み木装置の特徴とする。
（３）定位槽２１の全ての定位穴２２は凹むの方形、定位穴２２と定位穴２２は互いに繋がって、全ての定位穴２２に底部に凹の浅槽２７を有し、１１個積み木１Ａ〜１Ｋの部品は立体四方形、六つの面はそれぞれ凸出の凸塊１４、該凸塊１４は浅槽２７内に嵌められは本益智の積み木装置の特徴とする。
（４）定位槽２１の全ての定位穴２２は凹むの方形、定位穴２２と定位穴２２は互いに繋がって、全ての定位穴２２に底部に凹の浅槽２７を有し、１１個積み木１Ａ〜１Ｋの部品は定位穴２２に嵌められる四方扁平体という特徴とする益智の積み木装置。
【考案の効果】
【００１０】
従来、斬新な用件になるため、１１個積み木の組み合わせで解答にし、また、５０個積み木の部品と５０個の定位穴の形で創作。
従って、本考案は以下に示すような効果を持ち：
（１）本実用新案の積み木入れ２０は５０箇の定位穴２２を４５°に交錯配置し、また、１１個不同形状の積み木１Ａ〜１Ｋは垂直で造形したため、４５°の斜角度に組み合わせ、古い式の水平又は直列の遊び方より、かなり難しくなり、使用者に積み木遊びの醍醐味を味わえるような新しい益智ゲームである。
（２）また、本考案の解答は古い式のように沢山の解答ではないので、難しくなる。
（３）その上、本考案の積み木の数は古い式の１２個より１個少なくなり、しかも、積み木の部品の数は５０個、古い式の５５個より少ないため、製作、材料及び生産のコストは古い式よりも良くなる。
（４）本考案は四種実施形態、それぞれの積み木１Ａ〜１Ｋの部品は不同形状で、積み木入れ２０及び定位槽２１も不同形状、例えば、円球形の部品は丸い凹槽の定位穴に入れ、また、立体四方形の部品は四方形の凹槽の定位穴に挿し込む。消費者の好みによって、四種不同形態の選択肢がある。上記より、本考案は解答、経済効果及び形態選択などは、古い式の益智積み木装置より良くなるため、進歩性にうまくあう。
【図面の簡単な説明】
【００１１】
【図１】従来の積み木装置の特に積み木入れを示す平面図
【図２】同装置の積み木入れと積み木を示す平面図
【図３】本考案の第１の実施の形態における積み木装置の特に積み木入れを示す平面図
【図４】同装置の積み木入れと積み木を示す斜視図
【図５】同装置の積み木入れと積み木を示す平面図
【図６】同装置の積み木入れと積み木を示す（図４のＸ−Ｘ’線）断面図
【図７】同装置の積み木を示す平面図
【図８】本考案の第２の実施の形態における積み木装置の特に積み木入れを示す斜視図
【図９】同装置の積み木入れと積み木を示す平面図
【図１０】本考案の第３の実施の形態における積み木装置の積み木入れと積み木を示す斜視図
【図１１】同装置の積み木入れと積み木を示す平面図
【図１２】本考案の第４の実施の形態における積み木装置の積み木入れと積み木を示す斜視図
【図１３】同装置の積み木入れと積み木を示す平面図
【考案を実施するための形態】
【００１２】
次に、この考案を実施するための形態について図を用いて説明する。図３乃至図７に第１の実施の形態を示している。図４及び図５に示すように、この積み木装置は、一つの扁平な積み木入れ２０と、積み木入れ２０に入れる積み木セット１０とを備えて構成される。
【００１３】
図３に示すように、積み木入れ２０は頂面又は底面に積み木セット１０の各積み木が適合可能（嵌合可能）な定位槽２１を有している。この定位槽２１は、積み木入れ２０の横方向（以下、Ｘ軸方向という。）に一列の定位穴２２の列が積み木入れ２０の縦方向（以下、Ｙ軸方向という。）に１１列並設され、これら１１列のうち、奇数の列、すなわち第１列、第３列、第５列、第７列、第９列、第１１列が５箇ずつの定位穴２２により構成され、偶数の列、すなわち第２列、第４列、第６列、第８列、第１０列が４箇ずつの定位穴２２により構成されて、奇数及び偶数の各列の各定位穴２２が積み木入れ２０のＸ軸方向又はＹ軸方向に対して４５°の角度の斜め一列に配列される。
【００１４】
また、この積み木入れ２０では、図３及び図４に示すように、定位槽２１の各定位穴２２が平面視丸形（略円形）の凹状に形成される。また、この定位槽２１内の１１列からなる定位穴２２の列のうち、第２列から第１０列までの各列の各定位穴２２間に円柱２３が形成されて、全体として円柱２３の列が９列並設され、これら９列の円柱２３の列のうち奇数の列、すなわち第１列、第３列、第５列、第７列、第９列が３本ずつの円柱２３により構成され、偶数の列、すなわち第２列、第４列、第６列、第８列が４本ずつの円柱２３により構成されて、奇数及び偶数の各列の各円柱２３が積み木入れ２０のＸ軸方向又はＹ軸方向に対して４５°の角度の斜め一列に配列されて、各定位穴２２間に各定位穴２２間を繋ぐ凹溝２４が両側を各円柱２３により円弧形の凹状にして形成される。
【００１５】
積み木セット１０は、図４及び図５に示すように、１１箇の異なる形の積み木１Ａ〜１Ｋからなり、これらの積み木１Ａ〜１Ｋはそれぞれ３つ乃至５つの部品で形成されて、全部で５０箇の部品により構成される。また、この積み木セット１０の場合、１１箇の積み木１Ａ〜１Ｋがそれぞれ、図４、図５及び図６に示すように、積み木入れ２の定位穴２２に嵌合可能に扁平で丸い形（略円形）の複数の部品と、積み木入れ２の凹溝２４に嵌合可能に両側を内側に向けて円弧形に凹まされて、部品と部品を繋ぐ接続部１２とにより形成される。この積み木セット１０の積み木１Ａ〜１Ｋの形状は図７に示すとおりである。
【００１６】
積み木１Ａは４つの部品ａ１〜ａ４からなり、部品ａ１〜ａ３が直線状に繋がり、部品ａ４が部品ａ１〜ａ３のうち一端の部品ａ３に部品ａ１〜ａ３の繋がり方向に対して直角方向（図７中、右側）に交わって繋がり、全体として略Ｌ字形に形成される。
【００１７】
積み木１Ｂは５つの部品ｂ１〜ｂ５からなり、部品ｂ１〜ｂ３が直線状に繋がり、部品ｂ４、ｂ５が相互に直線状に繋がるとともに、そのうち一方の部品ｂ４が部品ｂ１〜ｂ３のうち中央の部品ｂ２に、他方の部品ｂ５が部品ｂ１〜ｂ３のうち一端の部品ｂ３に、それぞれ部品ｂ１〜ｂ３の繋がり方向に対して直角方向（図７中、右側）に交わって繋がり、全体として略（逆）ｑ字形に形成される。
【００１８】
積み木１Ｃは５つの部品ｃ１〜ｃ５からなり、部品ｃ１〜ｃ４が直線状に繋がり、部品ｃ５が部品ｃ１〜ｃ４のうち一端の部品ｃ４に隣接する部品ｃ３と部品ｃ１〜ｃ４の繋がり方向に対して直角方向（図７中、左側）に交わって繋がり、全体として略Ｔ字形に形成される。
【００１９】
積み木１Ｄは３つの部品ｄ１〜ｄ３からなり、部品ｄ１、ｄ２が直線状に繋がり、部品ｄ３が部品ｄ１、ｄ２のうち一方の部品ｄ１に部品ｄ１、ｄ２の繋がり方向に対して直角方向（図７中、左側）に交わって繋がり、全体として略（逆）ｖ字形に形成される。
【００２０】
積み木１Ｅは５つの部品ｅ１〜ｅ５からなり、部品ｅ１、ｅ２が直線状に繋がり、部品ｅ３が部品ｅ１、ｅ２のうち一方の部品ｅ２に部品ｅ１、ｅ２の繋がり方向に対して直角方向（図７中、左側）に交わって繋がり、部品ｅ４が部品ｅ３に部品ｅ１、ｅ２の繋がり方向と平行な方向（但し、部品ｅ１とは反対方向）に繋がり、部品ｅ５が部品ｅ４に部品ｅ２、ｅ３の繋がり方向と平行な方向（図７中、左側）に繋がり、全体として略Ｗ字形（又は略ジグザク形若しくは略波形）に形成される。
【００２１】
積み木１Ｆは５つの部品ｆ１〜ｆ５からなり、部品ｆ１〜ｆ３が直線状に繋がり、部品ｆ４が部品ｆ１〜ｆ３のうち一端の部品ｆ１と部品ｆ１〜ｆ３の繋がり方向に対して直角方向（図７中、左側）に交わって繋がり、部品ｆ５が部品ｆ４に部品ｆ１〜ｆ３の繋がり方向に対して直角方向（図７中、左側）に交わって繋がり、全体として略（逆）Ｖ字形に形成される。
【００２２】
積み木１Ｇは４つの部品ｇ１〜ｇ４からなり、部品ｇ１〜ｇ３が直線状に繋がり、部品ｇ４が部品ｇ１〜ｇ３のうち中央の部品ｇ２に部品ｇ１〜ｇ３の繋がり方向に対して直角方向（図７中、右側）に交わって繋がり、全体として略（逆）Ｔ字形に形成される。
【００２３】
積み木１Ｈは４つの部品ｈ１〜ｈ４からなり、これら部品ｈ１〜ｈ４が直線状に繋がり、全体として略Ｉ字形に形成される。
【００２４】
積み木１Ｉは５つの部品ｉ１〜ｉ５からなり、部品ｉ２〜ｉ５が直線状に繋がり、部品ｉ１が部品ｉ２〜ｉ５のうち一端の部品ｉ２に部品ｉ２〜ｉ５の繋がり方向に対して直角方向（図７中、左側）に交わって繋がり、全体として略（逆）Ｌ字形に形成される。
【００２５】
積み木１Ｊは５つの部品ｊ１〜ｊ５からなり、部品ｊ１〜ｊ３が直線状に繋がり、部品ｊ４が部品ｊ１〜ｊ３のうち一端の部品ｊ３に部品ｊ１〜ｊ３の繋がり方向に対して直角方向（図７中、左側）に交わって繋がり、部品ｊ５が部品ｊ４に部品ｊ１〜ｊ３の繋がり方向と平行な方向に繋がり、全体として略Ｚ字形に形成される。
【００２６】
積み木１Ｋは５つの部品ｋ１〜ｋ５からなり、部品ｋ１〜ｋ３が直線状に繋がり、部品ｋ４が部品ｋ１〜ｋ３のうち一端の部品ｋ１に部品ｋ１〜ｋ３の繋がり方向に対して直角方向（図７中、右側）に交わって繋がり、部品ｋ５が部品ｋ１〜ｋ３のうち他端の部品ｋ３に部品ｋ１〜ｋ３の繋がり方向に対して直角方向（図７中、右側）に交わって繋がり、全体として略逆Ｕ字形（又は略逆コ字形若しくは略門形）に形成される。
【００２７】
このようにしてこれらの積み木１Ａ〜１Ｋをそれぞれ、積み木入れ２０の定位槽２１に定位穴２２を使って当該積み木入れ２０のＸ軸方向又はＹ軸方向に対して４５°の角度の斜めに交差させて並べるようにした。
【００２８】
このようにこの積み木装置では、全部で５０箇の積み木の部品からなる形状の異なる１１箇の積み木１Ａ〜１Ｋを、積み木入れ２０にＸ軸方向又はＹ軸方向に対して４５°の角度の斜めに交差して配置された５０箇の定位穴２２に各定位穴２２の形に合わせつつ、交差状の配置にして組み合わせ、積み木遊びの解答を創作する形式にしたので、従来の横方向又は縦方向に直列に組み合わせる形式の積み木遊びよりも積み木の並べ方の点で難しくなり、また、この装置の形式により積み木遊びの解答が従来の積み木遊びに比べて少なくなるので、この解答が見出しにくい点で難しく、積み木遊びの難易度を大幅に向上させることができる。したがって、使用者はこの装置による積み木遊びの醍醐味を十分に味わいながら、脳に適度の刺激を与えることができる。
【００２９】
また、この装置の場合、積み木１Ａ〜１Ｋの数が１１箇と従来の積み木装置の１２箇よりも１箇少なく、さらに、積み木１Ａ〜１Ｋの部品の数が５０箇と従来の積み木装置の５５箇よりも少なくなるため、この装置の製造に必要な材料及び製作工程を削減して、生産コストの低減を図ることができる。
【００３０】
図８及び図９に第２の実施の形態を示している。なお、この装置の基本的な構成は第１の実施の形態と共通しているので、ここでは、第１の実施の形態と異なる点のみを説明する。図８及び図９に示すように、この装置では、積み木入れ２０の各定位穴２２が断面円弧状の凹状（又は略半球形の凹状）に形成される。また、積み木入れ２０の１１列からなる定位穴２２の列のうち第２列から第１０列までの各列の各定位穴２２間に多角形柱２６が形成されて、全体で多角形柱２６の列が９列並設され、これら９列の多角形柱２６の列のうち奇数の列、すなわち第１列、第３列、第５列、第７列、第９列が３本ずつの多角形柱２６により構成され、偶数の列、すなわち第２列、第４列、第６列、第８列が４本ずつの多角形柱２６により構成されて、奇数及び偶数の各列の各多角形柱２６が積み木入れ２０のＸ軸方向又はＹ軸方向に対して４５°の角度の斜め一列に配列されて、各定位穴２２間に各定位穴２２間を繋ぐ浅い溝２５が形成される。１１箇の積み木１Ａ〜１Ｋはそれぞれ、積み木入れ２０の定位穴２２に嵌合可能に球形の複数の部品と、積み木入れ２０の浅い溝２５に嵌合可能に部品と部品を繋ぐ短い棒１３とにより形成される。このようにしても上記第１の実施の形態と同様の作用効果を奏することができる。また、このように積み木１Ａ〜１Ｋの形状及び積み木入れ２０の定位槽２１の形状を種々に変えることで、積み木装置のバリエーションを増やすことができ、積み木装置の難易度の向上とともに使用者の選択肢の拡大を図ることができ、使用者は自らの好みにあったものを選ぶことができる。したがって、この装置によれば、積み木の難易度の点、積み木の形態のバリエーション、さらにその経済効果の点のいずれも、従来の積み木装置に比べて優れたものとなる。
【００３１】
図１０及び図１１に第３の実施の形態を示している。なお、この装置の基本的な構成は第１の実施の形態と共通しているので、ここでは、第１の実施の形態と異なる点のみを説明する。図１０及び図１１に示すように、この装置では、積み木入れ２０の各定位穴２２は断面方形の凹状（又は平面視矩形の凹状）に形成され、さらにその底部に凹状の浅い槽を形成されて、各定位穴２２間が相互に繋げられる。１１箇の積み木１Ａ〜１Ｋはそれぞれ、立方体状の部品からなり、各部品の六つの各面に各定位穴２２の浅い槽に嵌合可能に凸状部１４を有する。このようにしても上記第１の実施の形態と同様の作用効果を奏することができる。また、このように積み木１Ａ〜１Ｋの形状及び積み木入れ２０の定位槽２１の形状を種々に変えることで、積み木装置のバリエーションを増やすことができ、積み木装置の難易度の向上とともに使用者の選択肢の拡大を図ることができ、使用者は自らの好みにあったものを選ぶことができる。したがって、この装置によれば、積み木の難易度の点、積み木の形態のバリエーション、さらにその経済効果の点のいずれも、従来の積み木装置に比べて優れたものとなる。
【００３２】
図１２及び図１３に第４の実施の形態を示している。なお、この装置の基本的な構成は第１の実施の形態と共通しているので、ここでは、第１の実施の形態と異なる点のみを説明する。図１０及び図１１に示すように、この装置では、積み木入れ２０の各定位穴２２は方形の凹状に形成され、各定位穴２２間が相互に繋げられる。１１箇の積み木１Ａ〜１Ｋはそれぞれ、積み木入れ２０の定位穴２２に嵌合可能に扁平で方形の複数の部品により形成される。このようにしても上記第１の実施の形態と同様の作用効果を奏することができる。また、このように積み木１Ａ〜１Ｋの形状及び積み木入れ２０の定位槽２１の形状を種々に変えることで、積み木装置のバリエーションを増やすことができ、積み木装置の難易度の向上とともに使用者の選択肢の拡大を図ることができ、使用者は自らの好みにあったものを選べことができる。したがって、この装置によれば、積み木の難易度の点、積み木の形態のバリエーション、さらにその経済効果の点のいずれも、従来の積み木装置に比べて優れたものとなる。
【符号の説明】
【００３３】
１１  積み木セット
１Ａ〜１Ｋ  積み木
ａ１〜ａ４  積み木の部品
ｂ１〜ｂ５  積み木の部品
ｃ１〜ｃ５  積み木の部品
ｄ１〜ｄ３  積み木の部品
ｅ１〜ｅ５  積み木の部品
ｆ１〜ｆ４  積み木の部品
ｇ１〜ｇ４  積み木の部品
ｈ１〜ｈ５  積み木の部品
ｉ１〜ｉ５  積み木の部品
ｊ１〜ｊ５  積み木の部品
ｋ１〜ｋ５  積み木の部品
１１〜１６  積み木の部品
１２  連接部
１３  短い棒
２０  積み木入れ
２１  定位槽
２２  定位穴
２３  円柱
２４  凹溝
２５  浅溝
２６  角柱
３０  積み木入れ
３１  定位穴
３Ａ〜３Ｌ  積み木
θ１  ９０°角
θ２  ４５°角
１’、３’、５’、７’、９’  奇数列
２’、４’、６’、８’  偶数列
１、３、５、７、９、１１  奇数列
２、４、６、８、１０  偶数列
【図１】
0003151532.tif 000003
【図２】
0003151532.tif 000004
【図３】
0003151532.tif 000005
【図４】
0003151532.tif 000006
【図５】
0003151532.tif 000007
【図６】
0003151532.tif 000008
【図７】
0003151532.tif 000009
【図８】
0003151532.tif 000010
【図９】
0003151532.tif 000011
【図１０】
0003151532.tif 000012
【図１１】
0003151532.tif 000013
【図１２】
0003151532.tif 000014
【図１３】
0003151532.tif 000015